(57)【特許請求の範囲】
【請求項１】
原稿読取装置であって、
中綴じされた原稿が中綴じされたままの状態で載置される給紙トレイと、
前記給紙トレイ上の載置された原稿を搬送するための搬送部と、
前記搬送部による搬送の経路上で原稿の表面を読取る第１の読取機構と、
前記搬送部による搬送の経路上で原稿の裏面を読取る第２の読取機構と、
前記給紙トレイ上に載置する中綴じ原稿の開き方を報知するための報知部と、
前記第１の読取機構および前記第２の読取機構が読取った画像を記憶するための記憶部と、
前記記憶部に記憶された中綴じ原稿の各ページ画像を、配列を並べ替えて再構成するための再構成部とを備える、原稿読取装置。
【請求項２】
前記中綴じ原稿を構成する書類の枚数またはページ数を取得するための取得部と、
前記中綴じ原稿を前記搬送の経路に搬送した回数をカウントするためのカウント部と、を更に備え、
前記報知部は、前記取得部が取得した枚数又はページ数、および前記カウント部によりカウントされた搬送回数に基いて、前記搬送の経路を搬送される中綴じ原稿の開き方を更新して報知する、請求項１に記載の原稿読取装置。
【請求項３】
原稿を前記搬送の経路上に供給するための給紙ローラと、
原稿を１枚ずつ分離させるサバキ機能を有し、前記給紙ローラとの間で原稿をニップするためのサバキローラと、
前記サバキローラを制御するためのサバキローラ制御部とをさらに備え、
前記サバキローラ制御部は、
単票の原稿を前記搬送の経路で送る単票モードと、中綴じ原稿を前記搬送の経路で送る中綴じモードとで制御が可能であり、
前記単票モードでは、前記サバキローラのサバキ機能を作動させ、
前記中綴じモードでは、前記サバキローラのサバキ機能を作動させない、請求項１または請求項２に記載の原稿読取装置。
【請求項４】
前記サバキローラを駆動するためのサバキローラ駆動部と、
前記サバキローラ駆動部から前記サバキローラへ伝達される回転方向を切り替える駆動切替部と、を更に備え、
前記サバキローラ制御部は、
前記単票モードでは、前記サバキローラが前記搬送の経路に原稿を送る向きとは逆向きに回転され、
前記中綴じモードでは、前記サバキローラが前記搬送の経路に原稿を送る向きに回転されるように前記駆動切替部を制御する、請求項３に記載の原稿読取装置。
【請求項５】
前記サバキローラを駆動するためのサバキローラ駆動部と、
前記サバキローラ駆動部から前記サバキローラへの駆動力の伝達を解除するための解除部と、を更に備え、
前記サバキローラ制御部は、
前記単票モードでは、前記サバキローラが前記サバキローラ駆動部により駆動され、
前記中綴じモードでは、前記サバキローラが前記サバキローラ駆動部により駆動されないように前記解除部を制御する、請求項３に記載の原稿読取装置。
【請求項６】
前記搬送の経路上に設けられ、タイミングをとって原稿を搬送するためのレジストユニットと、
前記レジストユニットを制御するためのレジストユニット制御部とをさらに備え、
前記レジストユニット制御部は、
単票の原稿を前記搬送の経路で送る単票モードと、中綴じ原稿を前記搬送の経路で送る中綴じモードとで制御が可能であり、
前記単票モードでは、前記レジストユニットが原稿の搬送時に原稿を一時停止させ、
前記中綴じモードでは、前記レジストユニットが原稿の搬送時に原稿を停止させないように制御する、請求項１〜請求項５のいずれかに記載の原稿読取装置。
【請求項７】
前記搬送の経路は、
原稿を第１の向きに送る第１の経路と、
前記第１の経路に対する下流側であって、原稿を前記第１の向きと異なる第２の向きに送る第２の経路とを含み、
前記第１の読取機構および前記第２の読取機構は、前記第２の経路上の原稿を読取り、
前記原稿を、前記第１の経路を経ることなく前記第２の経路に送るための追加トレイと、
単票の原稿を前記搬送の経路で送る単票モードと、中綴じ原稿を前記搬送の経路で送る中綴じモードとで制御を実行するための制御部とをさらに備え、
前記制御部は、
前記単票モードでは、前記第１の経路および前記第２の経路を通過するように原稿を搬送し、
前記中綴じモードでは、前記追加トレイから前記第２の経路を通過するように原稿を搬送する、請求項１〜請求項６のいずれかに記載の原稿読取装置。
【請求項８】
前記給紙トレイ上に載置された原稿を前記搬送の経路上に供給するためのピックアップローラと、
前記給紙トレイ上に前記ピックアップローラと対向して設けられた、回転体を有する搬送機構と、
前記搬送機構を制御するための搬送制御部とをさらに備え、
前記搬送制御部は、
単票の原稿を前記搬送の経路で送る単票モードと、中綴じ原稿を前記搬送の経路で送る中綴じモードとで制御が可能であり、
前記単票モードでは、前記搬送機構を停止状態に維持し、
前記中綴じモードでは、前記搬送機構を搬送方向へ駆動する、請求項１〜請求項７のいずれかに記載の原稿読取装置。
【請求項９】
前記搬送の経路上に設けられた１以上のローラ対と、
前記ローラ対の双方を原稿搬送方向に回転駆動するためのローラ駆動部とを更に備えた、請求項１〜請求項８のいずれかに記載の原稿読取装置。
【請求項１０】
請求項１〜請求項９のいずれかに記載の原稿読取装置を備えた、画像形成装置。
【請求項１１】
記憶部と、中綴じされた原稿が中綴じされたままの状態で載置される給紙トレイと、前記給紙トレイ上の載置された原稿を搬送するための搬送部と、前記搬送部による搬送の経路上で原稿の表面を読取る第１の読取機構および原稿の裏面を読取る第２の読取機構を備えた原稿読取装置のコンピュータによって実行される制御方法であって、
前記給紙トレイ上に載置する中綴じ原稿の開き方を報知するステップと、
前記第１の読取機構および前記第２の読取機構が読取った画像を前記記憶部に記憶するステップと、
前記記憶部に記憶された中綴じ原稿の各ページ画像を、配列を並べ替えて再構成するステップとを備える、原稿読取装置の制御方法。
【請求項１２】
前記制御方法は、
前記中綴じ原稿を構成する書類の枚数またはページ数を取得するステップと、
前記中綴じ原稿を前記搬送の経路に搬送した回数をカウントするステップとを更に備え、
前記報知するステップは、取得した前記枚数又は前記ページ数、およびカウントされた前記搬送回数に基いて、前記搬送の経路を搬送される中綴じ原稿の開き方を更新して報知する、請求項１１に記載の原稿読取装置の制御方法。
【発明の詳細な説明】
【技術分野】
【０００１】
本発明は、原稿読取装置、その制御方法、および、画像形成装置に関し、特に、中綴じされた原稿の画像を読み取るための原稿読取装置、その制御方法、および、画像形成装置に関する。
【背景技術】
【０００２】
従来から、中綴じされた原稿の画像を読み取るための技術が種々提案されてきた。中綴じされた原稿、または中綴じ原稿とは、複数枚の用紙を半分に折り、折り代を綴じ代にして綴じることにより小冊子やパンフレットなどの形態に仕上げられるように画像が印刷された原稿であって、用紙の両面に、それぞれ２ページ分ずつのコンテンツが印刷された原稿をいう。
【０００３】
たとえば、特許文献１（特開２０１０−１１９０６３号公報）には、中綴じ印刷された原稿を綴じるステープルを外してばらばらにした後でＡＤＦ（Ａｕｔｏ  Ｄｏｃｕｍｅｎｔ  Ｆｅｅｄｅｒ）にセットして画像を読み取ったときに、読み取られた画像データを原稿通りに並べる技術が開示されている。当該公報に記載の技術は、読み取った画像に関連して、読取枚数や、原稿の左開き／右開きの情報の入力を受付ける。さらに、当該技術は、読み取った１枚目の原稿の表面の画像のプレビュー画像を表示させると共に、読取枚数や中綴じ原稿に対する読み取りを開始した面が、表紙／裏表紙の面か中央の面かを、ユーザに選択させる。
【先行技術文献】
【特許文献】
【０００４】
【特許文献１】特開２０１０−１１９０６３号公報
【発明の概要】
【発明が解決しようとする課題】
【０００５】
しかしながら、従来の技術では、中綴じされた原稿を読み取らせるには、原稿を綴じるステープルを外してばらばらにした後でＡＤＦにセットする必要があり、煩雑であった。特に、中綴じのステープルを外した後の原稿は、一般的なユーザが所有するステープラでは再度綴じることができない、という課題もあった。また、中綴じされたままの状態の原稿を各ページを開いて原稿ガラス上の読み取り位置にセットすると、何度も読み取りを行う必要があり煩雑であるという問題もあった。
【０００６】
本発明は、かかる実情に鑑み考え出されたものであり、その目的は、ＡＤＦを用いて中綴じされた原稿の読取を容易にすることである。
【課題を解決するための手段】
【０００７】
本発明に従った原稿読取装置は、中綴じされた原稿が中綴じされたままの状態で載置される給紙トレイと、給紙トレイ上の載置された原稿を搬送するための搬送部と、搬送部による搬送の経路上で原稿の表面を読取る第１の読取機構と、搬送部による搬送の経路上で原稿の裏面を読取る第２の読取機構と、給紙トレイ上に載置する中綴じ原稿の開き方を報知するための報知部と、第１の読取機構および第２の読取機構が読取った画像を記憶するための記憶部と、記憶部に記憶された中綴じ原稿の各ページ画像を、配列を並べ替えて再構成するための再構成部とを備える。
【０００８】
好ましくは、中綴じ原稿を構成する書類の枚数またはページ数を取得するための取得部と、中綴じ原稿を搬送の経路に搬送した回数をカウントするためのカウント部と、を更に備え、報知部は、取得部が取得した枚数又はページ数、およびカウント部によりカウントされた搬送回数に基いて、搬送の経路を搬送される中綴じ原稿の開き方を更新して報知する。
【０００９】
好ましくは、原稿を搬送の経路上に供給するための給紙ローラと、原稿を１枚ずつ分離させるサバキ機能を有し、給紙ローラとの間で原稿をニップするためのサバキローラと、サバキローラを制御するためのサバキローラ制御部とをさらに備え、サバキローラ制御部は、単票の原稿を搬送の経路で送る単票モードと、中綴じ原稿を搬送の経路で送る中綴じモードとで制御が可能であり、単票モードでは、サバキローラのサバキ機能を作動させ、中綴じモードでは、サバキローラのサバキ機能を作動させない。
【００１０】
好ましくは、サバキローラを駆動するためのサバキローラ駆動部と、サバキローラ駆動部からサバキローラへ伝達される回転方向を切り替える駆動切替部と、を更に備え、サバキローラ制御部は、単票モードでは、サバキローラが搬送の経路に原稿を送る向きとは逆向きに回転され、中綴じモードでは、サバキローラが搬送の経路に原稿を送る向きに回転されるように駆動切替部を制御する。
【００１１】
好ましくは、サバキローラを駆動するためのサバキローラ駆動部と、サバキローラ駆動部からサバキローラへの駆動力の伝達を解除するための解除部と、を更に備え、サバキローラ制御部は、単票モードでは、サバキローラがサバキローラ駆動部により駆動され、中綴じモードでは、サバキローラがサバキローラ駆動部により駆動されないように解除部を制御する。
【００１２】
好ましくは、搬送の経路上に設けられ、タイミングをとって原稿を搬送するためのレジストユニットと、レジストユニットを制御するためのレジストユニット制御部とをさらに備え、レジストユニット制御部は、単票の原稿を搬送の経路で送る単票モードと、中綴じ原稿を搬送の経路で送る中綴じモードとで制御が可能であり、単票モードでは、レジストユニットが原稿の搬送時に原稿を一時停止させ、中綴じモードでは、レジストユニットが原稿の搬送時に原稿を停止させないように制御する。
【００１３】
好ましくは、搬送の経路は、原稿を第１の向きに送る第１の経路と、第１の経路に対する下流側であって、原稿を第１の向きと異なる第２の向きに送る第２の経路とを含み、第１の読取機構および第２の読取機構は、第２の経路上の原稿を読取り、原稿を、第１の経路を経ることなく第２の経路に送るための追加トレイと、単票の原稿を搬送の経路で送る単票モードと、中綴じ原稿を搬送の経路で送る中綴じモードとで制御を実行するための制御部とをさらに備え、制御部は、単票モードでは、第１の経路および第２の経路を通過するように原稿を搬送し、中綴じモードでは、追加トレイから第２の経路を通過するように原稿を搬送する。
【００１４】
好ましくは、給紙トレイ上に載置された原稿を搬送の経路上に供給するためのピックアップローラと、給紙トレイ上にピックアップローラと対向して設けられた、回転体を有する搬送機構と、搬送機構を制御するための搬送制御部とをさらに備え、搬送制御部は、単票の原稿を搬送の経路で送る単票モードと、中綴じ原稿を搬送の経路で送る中綴じモードとで制御が可能であり、単票モードでは、搬送機構を停止状態に維持し、中綴じモードでは、搬送機構を搬送方向へ駆動する。
【００１５】
好ましくは、搬送の経路上に設けられた１以上のローラ対と、ローラ対の双方を原稿搬送方向に回転駆動するためのローラ駆動部とを更に備える。
【００１６】
本発明に従った画像形成装置は、上記したような原稿読取装置を備えている。
本発明に従った原稿読取装置の制御方法は、記憶部と、中綴じされた原稿が中綴じされたままの状態で載置される給紙トレイと、給紙トレイ上の載置された原稿を搬送するための搬送部と、搬送部による搬送の経路上で原稿の表面を読取る第１の読取機構および原稿の裏面を読取る第２の読取機構を備えた原稿読取装置のコンピュータによって実行される制御方法であって、給紙トレイ上に載置する中綴じ原稿の開き方を報知するステップと、第１の読取機構および第２の読取機構が読取った画像を記憶部に記憶するステップと、記憶部に記憶された中綴じ原稿の各ページ画像を、配列を並べ替えて再構成するステップとを備える。
【００１７】
好ましくは、制御方法は、中綴じ原稿を構成する書類の枚数またはページ数を取得するステップと、中綴じ原稿を搬送の経路に搬送した回数をカウントするステップとを更に備え、報知するステップは、取得した枚数又はページ数、およびカウントされた搬送回数に基いて、搬送の経路を搬送される中綴じ原稿の開き方を更新して報知する。
【発明の効果】
【００１８】
本発明によれば、中綴じ原稿について、第１の読取機構によって第１の面が読取られ、第２の読取機構によって第２の面を読取られ、そして、それらの画像が、取得手段によって取得された枚数および開き方に基いて、当該中綴じ原稿におけるページ順に並べ替えられる。
【００１９】
したがって、ユーザは、中綴じ原稿の綴じを解消することなく、かつ、中綴じされたままの状態の原稿をＡＤＦにセットする回数を、各ページを開いて原稿ガラス上の読み取り位置にセットする場合に比べ少ない回数で、当該中綴じ原稿におけるページ順に並べられた画像を取得できる。
【００２０】
これにより、中綴じされた原稿の読取を容易にできる。
【図面の簡単な説明】
【００２１】
【図１】本実施の形態にかかる原稿読取装置の装置構成の具体例を示す図である。
【図２】本実施の形態にかかる原稿読取装置の制御構成の具体例を示すブロック図である。
【図３】図１の原稿読取装置における、中綴じ原稿から読み取られた画像の再構成を説明するための図である。
【図４】図１の原稿読取装置における、中綴じ原稿から読み取られた画像の再構成を説明するための図である。
【図５】図１の原稿読取装置における、中綴じ原稿から読み取られた画像の再構成を説明するための図である。
【図６】図１の原稿読取装置における、中綴じ原稿から読み取られた画像の再構成を説明するための図である。
【図７】図１の原稿読取装置における、中綴じ原稿から読み取られた画像の再構成を説明するための図である。
【図８】図１の原稿読取装置における、中綴じ原稿から読み取られた画像の再構成を説明するための図である。
【図９】図１の原稿読取装置のトレイ近傍の拡大図である。
【図１０】図１の原稿読取装置のトレイ近傍において原稿を搬送経路に送り出す際の各ローラの駆動態様を説明するための図である。
【図１１】図１の原稿読取装置のトレイ近傍の拡大図である。
【図１２】図１の原稿読取装置において実行される原稿読取処理のフローチャートである。
【図１３】原稿読取処理において表示パネルに表示される画面の一例を示す図である。
【図１４】原稿読取処理において表示パネルに表示される画面の他の例を示す図である。
【図１５】図１の原稿読取装置におけるローラの動作を説明するための図である。
【図１６】図１の原稿読取装置におけるローラの動作を説明するための図である。
【図１７】図１の原稿読取装置におけるローラの動作を説明するための図である。
【図１８】図１の原稿読取装置の変形例の制御構成の具体例を示すブロック図である。
【図１９】図１２の原稿搬送処理の変形例のフローチャートである。
【図２０】図１の原稿読取装置の変形例を示す図である。
【図２１】本発明の画像形成装置の一例を示す図である。
【発明を実施するための形態】
【００２２】
以下、図面を参照しつつ、本発明の実施の形態について説明する。以下の説明では同一の部品は同一の符号が付してある。それらの名称および機能も同じである。したがって、それらについての詳細な説明は繰返さない。
【００２３】
＜装置構成＞
図１は、本実施の形態にかかる原稿読取装置の装置構成の具体例を示す図である。図２は、本実施の形態にかかる原稿読取装置の制御構成の具体例を示すブロック図である。
【００２４】
図１および図２を参照して、実施の形態にかかる原稿読取装置は、シートスルータイプのＡＤＦ（Ａｕｔｏ  Ｄｏｃｕｍｅｎｔ  Ｆｅｅｄｅｒ）部１Ａと読取部１Ｂとを含む。
【００２５】
ＡＤＦ部１Ａは読取部１Ｂで原稿の一方の面を読取るための読取位置２１１に原稿を搬送すると共に、ＡＤＦ部１Ａ内に設けられた、原稿の他方の面を読取るための読取部１１０に原稿を搬送する。
【００２６】
ＡＤＦ部１Ａは、搬送前の原稿を積載するためのトレイ１０１と搬送後の原稿を排紙するためのトレイ１１３とを有し、トレイ１０１とトレイ１１３との間に原稿の搬送経路が構成されている。
【００２７】
トレイ１０１と搬送経路との境界位置には、ピックアップローラ１０２と給紙ローラ１０３と、サバキローラ１１５が備えられる。トレイ１０１に積載された原稿束１１２は、ピックアップローラ１０２により給紙され、給紙ローラ１０３とサバキローラ１１５によって１枚ずつ分離されて、搬送経路に送り出される。
【００２８】
以降の説明において、搬送経路の搬送方向、つまりトレイ１０１からトレイ１１３に向かう方向のトレイ１０１側を「搬送方向の上流側」といい、トレイ１１３側を「搬送方向の下流側」ということもある。また、搬送経路の上流側を「前」、下流側を「後」ということもある。
【００２９】
搬送経路には、搬送方向に沿って搬送経路を挟む一対の中間ローラ１０４およびレジストローラ１０５が備えられる。中間ローラ１０４によって搬送経路上をレジストローラ１０５まで送り出された原稿は、図１６に示されるように、レジストローラ１０５によってスキュー補正される。なお、図１６において、Ｒ２１〜Ｒ２３は、それぞれ、ピックアップローラ１０２、給紙ローラ１０３、サバキローラ１１５、および、中間ローラ１０４の回転方向を示している。そして、スキュー補正された後の原稿が読取部１Ｂの読取位置２１１へ搬送される。
【００３０】
搬送経路の、読取部１Ｂの読取位置２１１に対応する位置の上流側および下流側に、それぞれ一対の読取ローラ１０６，１０７が備えられる。これらローラ対の回転により、搬送されてきた原稿は読取部１Ｂの読取位置２１１を通過して下流側に搬送される。これにより、原稿の、読取部１Ｂに向く面が、読取部１Ｂによって読み取られる。以降の説明において、搬送された原稿の読取部１Ｂに向く面を「表面」とも称し、その反対面を「裏面」とも称する。
【００３１】
搬送経路の、読取ローラ１０７よりも下流側に、読取部１１０が配される。読取部１１０は、搬送される原稿の裏面に撮像部を向けている。読取部１１０の下流側に、一対の読取ローラ１０８が備えられる。読取ローラ１０７，１０８の回転により、搬送されてきた原稿は読取部１１０を通過して下流側に搬送される。
【００３２】
ＡＤＦ部１Ａ内に設けられた読取部１１０は、一例として、、ＣＩＳ（Ｃｏｎｔａｃｔ  Ｉｍａｇｅ  Ｓｅｎｓｏｒ）を採用した読取機構である。詳しくは、読取部１１０には、図示しない光源とＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサとが、搬送される原稿の裏面に相対して配置される。光源からの照射光のうちの読取位置を通過する原稿の当該光源に向く面からの反射光がＣＭＯＳセンサで受光され、Ｒ，Ｇ，Ｂそれぞれの受光信号がＲＧＢデータに変換される。これにより、原稿の裏面が読取部１１０によって読み取られる。読取部１１０は後述する読取部１Ｂの制御装置２５０と電気的に接続され、ＲＧＢデータを読取結果として制御装置２５０に対して出力する。なお、以降の説明において、読取部１１０はＣＩＳ１１０とも称する。また、以降の説明において、読取ローラ１０６，１０７，１０８を、それぞれ、Ｒ１ローラ，Ｒ２ローラ，Ｒ３ローラとも称する。
【００３３】
搬送経路とトレイ１１３との境界位置には排紙ローラ１０９が備えられる。この排紙ローラ１０９の回転により、搬送され裏面がＣＩＳ１１０によって読み取られた後の原稿がトレイ１１３へ排出される。
【００３４】
ＡＤＦ部１Ａは、さらに、各ローラを駆動するためのモータとして、給紙モータ３０１、読取モータ３０２、レジストモータ３０３、および排紙モータ３０４を備える。以降の説明において、給紙モータ３０１、読取モータ３０２、レジストモータ３０３、および排紙モータ３０４を、それぞれ、モータＭ１，Ｍ２，Ｍ３，Ｍ４とも称する。
【００３５】
給紙モータ３０１は図示しない給紙クラッチを経てピックアップローラ１０２および給紙ローラ１０３に接続され、これらローラを駆動する。
【００３６】
給紙モータ３０１は、一対の中間ローラ１０４の一方にも接続されて該ローラを駆動し、他方の中間ローラ１０４は、該ローラに従動回転する。
【００３７】
レジストモータ３０３は、一対のレジストローラ１０５の一方に接続されて該ローラを駆動し、他方のレジストローラ１０５は、該ローラに従動回転する。
【００３８】
読取モータ３０２は、一対の読取ローラ１０６，１０７，１０８の各一方に接続されてこれらローラを駆動する。読取りローラ１０６，１０７，１０８の他方は、上記のように駆動されたそれぞれの一方のローラに従動回転する。
【００３９】
排紙モータ３０４は、一対の排紙ローラ１０９の一方に接続されて該ローラを駆動する。排紙ローラ１０９の他方は、上記のように駆動された排紙ローラ１０９の一方に従動回転する。
【００４０】
排紙モータ３０４は、回転方向切替機構１１７を経てサバキローラ１１５にも接続されている。また、サバキローラ１１５には、図示しないトルクリミッタが備えられ、用紙を一枚ずつ搬送するサバキ機能が備えられている。
【００４１】
トルクリミッタは、サバキローラ１１５とその駆動軸とを連結する図示しない筒状の部品である。サバキローラ１１５のトルクが設定より重い場合、すなわち１枚の用紙が給紙ローラ１０３とサバキローラ１１５との間に挟み込まれた場合は、駆動軸とサバキローラ１１５との連結が解除され、サバキローラ１１５が給紙ローラ１０３に従動回転するように構成されている。そして、サバキローラ１１５のトルクが設定より軽い場合、すなわち２枚以上の用紙が給紙ローラ１０３とサバキローラ１１５との間に挟み込まれた場合には、駆動軸とサバキローラ１１５が連結され、サバキローラ１１５が給紙ローラ１０３に従動回転せず、用紙を押し戻す方向に回転するように構成されている。
【００４２】
搬送経路のいずれかの位置に、原稿の有無を検知するためのセンサ１１１が配される。センサ１１１の配される位置は、好ましくは読取位置２１１よりも上流側であり、一例として、読取ローラ１０６の近傍（図１では、読取ローラ１０６の下流側）が挙げられる。
【００４３】
他の例として、読取ローラ１０６の上流側であってもよい。センサ１１１は、たとえば透過式のセンサが該当する。センサ１１１は後述する読取部１Ｂの制御装置２５０と電気的に接続され、センシング範囲に原稿が存在する場合にセンサ信号を制御装置２５０に対して出力する。
【００４４】
ＡＤＦ部１Ａは、さらに、制御装置１５０およびメモリ１６０を備える。制御装置１５０に含まれるＣＰＵ（Ｃｅｎｔｒａｌ  Ｐｒｏｃｅｓｓｉｎｇ  Ｕｎｉｔ）１５１はメモリ１６０に記憶されるプログラムを読み出して実行する。モータＭ１乃至Ｍ４は制御装置１５０に電気的に接続されて、制御装置１５０からの制御信号に従って回転が制御される。
【００４５】
読取部１Ｂは一例としてＣＣＤ（Ｃｈａｒｇｅｄ  Ｃｏｕｐｌｅｄ  Ｄｅｖｉｃｅ）を含む。この場合、読取部１Ｂは、露光ランプ（Ｌ）２０１と、複数のミラーからなるミラー群２０２と、読取部としてのＣＣＤセンサ２０３と、制御装置２５０と、メモリ２６０とを備える。
【００４６】
原稿が読取位置２１１を通過すると、露光ランプ（Ｌ）２０１が、原稿の表面を照射する。照射光によって原稿の表面から反射された光はミラー群２０２に反射されてＣＣＤセンサ２０３まで導かれ、ＣＣＤセンサ２０３によって受光される。
【００４７】
制御装置２５０は、ＣＰＵ２５１を含み、メモリ２６０に記憶されるプログラムを読み出して実行することで、画像処理部としての機能を発揮する。ＣＣＤセンサ２０３は、光電変換により、受光信号をＲＧＢデータに変換して制御装置２５０に対して出力する。画像処理部として機能する制御装置２５０は、ＣＩＳ１１０およびＣＣＤセンサ２０３から出力されたＲＧＢデータに基づいて画像データを生成し、生成された画像データをメモリ２６０へ記憶させる。
【００４８】
トレイ１０１の給紙ローラ１０３と近接する部分には、ドラム１９１，１９２が設けられている。
【００４９】
図９は、図１の原稿読取装置のトレイ１０１近傍の拡大図である。また、図１０は、トレイ１０１近傍において原稿を搬送経路に送り出す際の各ローラの駆動態様を説明するための図である。そして、図１１は、図１の原稿読取装置のトレイ１０１近傍の拡大図である。
【００５０】
図９〜図１１をさらに参照して、トレイ１０１には、当該トレイ１０１の給紙面からわずかに飛び出す位置に、ベルト１９３が設けられている。ベルト１９３は、ドラム１９１とドラム１９２に張架されている。また、図９および図１０には、ピックアップローラ１０２を支持する支持部１０２Ａが示されている。
【００５１】
ピックアップローラ１０２は、原稿を搬送経路に送り出すために、矢印Ｒ１の向きに回転する。
【００５２】
本実施の形態の原稿読取装置は、後述するように、単票の原稿の読取を行なう単票原稿モードと、中綴じされた原稿の読取を行なう中綴じ原稿モードとで、動作する。
【００５３】
そして、中綴じ原稿モードの際には、ベルト１９３は、中綴じされた原稿をスムーズに搬送経路へと送り出すために、ピックアップローラ１０２と連動するように、原稿搬送方向（矢印Ｒ２の向き）に回転する。一方、ベルト１９３は、単票原稿モードでは回転せず、停止状態に維持される。単票の原稿に対してベルト１９３が回転すると、却って原稿を傷める事態が想定されるからである。なお、ベルト１９３は、ドラム１９１，１９２が図示せぬモータの駆動により回転することにより、回転する。ベルト１９３の材料は、ゴム材等の、或る程度原稿に対して摩擦を生じる材料が好ましい。なお、ベルト１９３の代わりに、原稿と接する面が同様の材料からなるローラが備えられていても良い。ただし、ベルトが備えられることにより原稿との接触面積をより大きくし、これにより、より確実に原稿を搬送経路に送ることができる。
【００５４】
このようなピックアップローラ１０２およびベルト１９３（ドラム１９１，１９２）の回転動作は、ＣＰＵ１５１により制御される。
【００５５】
図２を参照して、ＡＤＦ部１Ａの制御装置１５０および読取部１Ｂの制御装置２５０は、それぞれ、ＣＰＵ１５１，２５１を含み、メモリ１６０，２６０に記憶されているプログラムを実行する。ＡＤＦ部１ＡのＣＰＵ１５１と読取部１ＢのＣＰＵ２５１とは電気的に接続され、原稿のサイズ情報や動作モードや原稿を読み取るタイミング情報などの制御情報を互いに通信する。
【００５６】
ＡＤＦ部１ＡのＣＰＵ１５１は、給紙モータ（Ｍ１）３０１を駆動するためのモータ駆動ＩＣ１５２、読取モータ（Ｍ２）３０２を駆動するためのモータ駆動ＩＣ１５３、レジストモータ（Ｍ３）３０３を駆動するためのモータ駆動ＩＣ１５４、および排紙モータ（Ｍ４）３０４を駆動するためのモータ駆動ＩＣ１５５と接続される。ＣＰＵ１５１は、励磁信号をモータ駆動ＩＣに対して入力することにより、モータの回転を制御する。
【００５７】
読取部１ＢのＣＰＵ２５１はセンサ１１１に接続され、センサ１１１からのセンサ信号が入力される。読取部１ＢのＣＰＵ２５１は、さらに、ＣＩＳ１１０およびＣＣＤセンサ２０３に接続される。ＣＰＵ２５１は、後述する処理を行なうことでセンサ１１１からのセンサ信号に基づいて原稿の搬送経路上の位置を特定し、当該位置を用いてＣＩＳ１１０およびＣＣＤセンサ２０３での読み取りのタイミングを決定する。そして、ＣＩＳ１１０およびＣＣＤセンサ２０３での読み取りのタイミングを制御する。
【００５８】
なお、本明細書では、適宜、ＣＣＤセンサ２０３を第１読取部といい、ＣＩＳ１１０を第２読取部という。
【００５９】
また、読取部１ＢのＣＰＵ２５１は、メモリ２６０に記憶されるプログラムを読み出して実行することで画像処理部として機能する。画像処理部としてのＣＰＵ２５１は、ＣＩＳ１１０からのＲＧＢデータおよびＣＣＤセンサ２０３からのＲＧＢデータの入力を受付け、当該ＲＧＢデータを処理して画像データを生成し、生成された画像データをメモリ２６０へ記憶させる。
【００６０】
また、上記したように、原稿読取装置では、ドラム１９１，１９２を回転させるためのモータが設けられている。ＣＰＵ１５１は、駆動回路を介して、当該モータを適宜駆動させる。
【００６１】
また、原稿読取装置には、液晶表示装置等からなる表示パネル１７０と、各種のボタン等からなる入力部１７１とが含まれる。ＣＰＵ２５１には、入力部１７１に対して操作がなされた場合、当該操作に対応した情報が入力される。また、ＣＰＵ２５１は、表示パネル１７０の表示態様を制御する。なお、本実施の形態では、入力部１７１は、表示パネル１７０に表示されるソフトウェアキーとして実現される。つまり、本実施の形態では、表示パネル１７０と入力部１７１の一例として、原稿読取装置にはタッチパネルが設けられている。
【００６２】
＜中綴じ原稿の読取と再構成＞
図３〜図８を参照して、中綴じ原稿から読み取られた画像の再構成を行うプログラムについて説明する。かかるプログラムはメモリ２６０に記憶されており、ＣＰＵ２５１により実行される。なお、再構成とは、中綴じ原稿を構成する全ての用紙について、各用紙の両面のそれぞれに含まれる２ページ分ずつの画像データが全て読み取られてメモリ２６０に記憶された後に、ＣＰＵ２５１が、メモリ２６０に記憶された各ページの画像を、閲覧または印刷するために配列を並べ替えることをいう。
【００６３】
例えば、ユーザが、図３に示されたような２枚の中綴じされた用紙からなる原稿１１２の画像を原稿読取装置に読み取らせたい場合、図４の（Ａ）に示されるように、当該原稿の、第３頁と第４頁が上面に、表紙と裏表紙が下面に向くように、原稿１１２をトレイ１０１にセットする。原稿１１２は、搬送経路を送られて、１回目の読取が行なわれる。ユーザは、次に、図４の（Ｂ）に示されるように、当該原稿の、第５頁と第６頁が上面に、第２頁と第１頁が下面に向くように、原稿１１２をトレイ１０１にセットする。原稿１１２は、搬送経路を送られて、２回目の読取が行なわれる。
【００６４】
図５は、綴じ枚数２枚の場合に、第１読取部及び第２読取部で読み取った画像データを再構成するための、メモリ２６０に記憶されているプログラムの一部をなす、対応ページ番号テーブルを示している。「●読取」テーブルには、１回目と２回目のそれぞれの読取で、第１読取部と第２読取部のそれぞれに読み取られる画像に対応する頁番号がまとめられている。
【００６５】
図５の「●再構成データ」テーブルには、上記のように読み取られた画像が再構成された後の頁番号に対応する画像データの配列がまとめられている。このように再構成された後の画像データによれば、１枚目の記録用紙の表面には、左側に第１頁の画像が、右側に第６頁の画像が、そして、裏面には、左側に表紙の画像が、右側に裏表紙の画像が、それぞれ形成（印刷）される。また、２枚目の記録用紙の表面には、左側に第３頁の画像が、右側に第４頁の画像が、そして、裏面には、左側に第２頁の画像が、右側に第５頁の画像が、それぞれ形成（印刷）される。
【００６６】
例えば、ユーザが、図６に示されたような３枚の中綴じされた用紙からなる原稿１１２の画像を原稿読取装置に読み取らせたい場合、図７の（Ａ）に示されるように、当該原稿の、第５頁と第６頁が上面に、表紙と裏表紙が下面に向くように、原稿１１２をトレイ１０１にセットする。原稿１１２は、搬送経路を送られて、１回目の読取が行なわれる。ユーザは、次に、図７の（Ｂ）に示されるように、当該原稿の、第３頁と第４頁が上面に、第１０頁と第９頁が下面に向くように、原稿１１２をトレイ１０１にセットする。原稿１１２は、搬送経路を送られて、２回目の読取が行なわれる。ユーザは、次に、図７の（Ｃ）に示されるように、当該原稿の、第７頁と第８頁が上面に、第２頁と第１頁が下面に向くように、原稿１１２をトレイ１０１にセットする。原稿１１２は、搬送経路を送られて、３回目の読取が行なわれる。
【００６７】
図８は、綴じ枚数３枚の場合に、第１読取部及び第２読取部で読み取った画像データを再構成するための、メモリ２６０に記憶されているプログラムの一部をなす、対応ページ番号テーブルを示している。「●読取」テーブルには、１回目〜３回目のそれぞれの読取で、第１読取部と第２読取部のそれぞれに読み取られる画像に対応する頁番号がまとめられている。
【００６８】
図８の「●再構成データ」テーブルには、上記のように読み取られた画像を、記録用紙に印刷するために、再構成された後の頁番号に対応する画像データの配列がまとめられている。このように再構成された後の画像データによれば、１枚目の記録用紙の表面には、左側に第１頁の画像が、右側に第１０頁の画像が、そして、裏面には、左側に表紙の画像が、右側に裏表紙の画像が、それぞれ形成（印刷）される。また、２枚目の記録用紙の表面には、左側に第３頁の画像が、右側に第８頁の画像が、そして、裏面には、左側に第２頁の画像が、右側に第９頁の画像が、それぞれ形成（印刷）される。また、３枚目の記録用紙の表面には、左側に第５頁の画像が、右側に第６頁の画像が、そして、裏面には、左側に第４頁の画像が、右側に第７頁の画像が、それぞれ形成（印刷）される。
【００６９】
以上、図３〜図８を参照して説明したように、原稿において中綴じされる枚数に応じて異なる態様で再構成が行なわれるように、メモリ２６０にプログラムが記憶されている。
【００７０】
原稿読取装置では、中綴じ原稿モードにおいて、原稿において中綴じされている用紙の枚数を特定する情報の入力を、入力部１７１より受付ける。ＣＰＵ２５１は、当該枚数に応じて、メモリ２６０に記憶された原稿の各ページ画像の再構成を行なう。なお、中綴じされた用紙の数は、２、３枚に限られず、複数枚であれば良い。また、用紙の枚数を特定する情報を入力するのに代えて、表表紙、裏表紙も含めた総ページ数を入力するようにしても良い。
【００７１】
＜原稿読取処理＞
図１２は、本実施の形態の原稿読取装置において実行される原稿読取処理のフローチャートである。この原稿読取処理は、ＣＰＵ２５１とＣＰＵ１５１が共働して行う。
【００７２】
図１２を参照して、ＣＰＵ２５１は、ステップＳ１０で、表示パネル１７０がタッチ操作されることにより、中綴じ原稿モードが選択されたか否かを判断し、選択されたと判断するとステップＳ２０へ処理を進める。一方、中綴じ原稿モードではなく単票原稿モードが選択されたと判断すると、ＣＰＵ２５１は、単票原稿モードで原稿の画像を読取る処理を実行する。なお、単票原稿モードで原稿の画像を読取る処理については、公知の技術を利用することができるため、本明細書では、当該処理の説明を繰り返さない。
【００７３】
ステップＳ２０では、ＣＰＵ２５１は、表示パネル１７０に、見開きで開くページを指示する情報を表示して、ステップＳ２１へ処理を進める。
【００７４】
図１３は、このときの表示パネル１７０の表示態様の一例を示す図である。
図１３の画面７０１には、中綴じ原稿をどのように開いてトレイ１０１にセットするべきかを説明するための図が示されている。具体的には、原稿を開くページを指定する画像が示されている。なお、画面７０１には、原稿の開き方とともに、その左下に、これから画像を読み取られる原稿において中綴じされている用紙の枚数が表示されている。ＣＰＵ２５１は、たとえば、ステップＳ１０の後、ステップＳ２０を実行する前に、中綴じされている用紙の枚数を指定する情報の入力を受付ける。なお、中綴じされている用紙の枚数を指定する情報は、デフォルトでメモリ２６０に記憶されていても良い。そして、当該記憶されている枚数に対して変更が必要な場合（変更が必要である旨の情報が入力部１７１に入力された場合）にのみ、上記情報の入力を受付けても良い。また、用紙の枚数を特定する情報を入力するのに代えて、表表紙、裏表紙も含めた総ページ数を入力するようにしても良い。
【００７５】
原稿の開き方を指定する画面は、ステップＳ２０の他に、後述するステップＳ８０でも、表示パネル１７０に表示される。表示される内容、つまり、原稿の開き方は、中綴じされている用紙の枚数およびこれから行なわれる読取が何回目であるかによって異なる。すなわち、表示パネル１７０には、中綴じされている用紙の枚数および搬送回数に基いて、トレイ１０１にセットする中綴じ原稿の開き方が更新して表示される。
【００７６】
たとえば、原稿の中綴じ枚数が２枚である場合には、図５の「●読取」テーブルに記載されている各読取回数に応じて、「第１読取部」の欄に記載された各ページを上面に、「第２読取部」の欄に記載された各ページを下面に開くように表示される。
【００７７】
原稿の中綴じ枚数が３枚である場合には、図８の「●読取」テーブルに記載されている各読取回数に応じて、「第１読取部」の欄に記載された各ページを上面に、「第２読取部」の欄に記載された各ページを下面に開くように表示される。
【００７８】
なお、中綴じされた用紙の数は、２、３枚に限られず、複数枚であれば良い。
ＣＰＵ２５１は、原稿の綴じ枚数と、読取の回数とに基づいて、メモリ２６０から、原稿の開き方を示す表示内容（画面データ）を取得し表示パネル１７０に表示する。
【００７９】
図１２に戻って、ＣＰＵ２５１は、ステップＳ２１において、表示パネル１７０の入力部１７１により中綴じ原稿の読取りを開始する旨の情報の入力がされたか否かを判断し、入力されたと判断するとステップＳ３０へ処理を進める。一方、読取り開始の情報が入力されなかったと判断すると、ステップＳ２１で待機する。
【００８０】
本実施の形態では、単票原稿モードでは、トルクリミッタを内包したサバキローラ１１５が原稿の搬送方向とは逆向きに回転するよう駆動されており、中綴じ原稿モードでは、サバキローラ１１５は、原稿を搬送する方向に回転するよう駆動される。ステップＳ３０で、サバキローラ１１５の回転の向きを原稿搬送の向きとするべく回転方向切替機構１１７を切り替える。これにより、ステップＳ４３における原稿の搬送では、図１５に示されるように、サバキローラ１１５は、給紙ローラ１０３と同じように、原稿を搬送経路へと送る向きに回転する。
【００８１】
ステップＳ４０では、ＣＰＵ１５１は、スキュー補正の設定をＯＦＦする。これにより、単票原稿モードにおける原稿搬送の際には行なわれるレジストローラ１０５によるスキュー補正（図１６）が、中綴じ原稿モードでは行なわれない。中綴じされた原稿の先端が、レジストローラ１０５で一時停止し、中間ローラ１０４の回転によりループが形成される際に、ダメージを受けることを回避するためである。中綴じ原稿モードでは、図１７に示されるように、レジストローラ１０５も一時停止を行わず、中間ローラ１０４等と同様のタイミングで原稿を搬送するように回転する。Ｒ２４は、レジストローラ１０５の回転の向きを示している。
【００８２】
次に、ステップＳ４１で、ＣＰＵ１５１は、図１５に示されるように、ベルト１９３がピックアップローラ１０２に圧接されるようにピックアップローラ１０２を下降させて、ステップＳ４２に処理を進める。
【００８３】
ステップＳ４２では、ＣＰＵ１５１は、ピックアップローラ１０２とともに、ベルト１９３を、原稿を搬送経路へ送る向きに回転させて、原稿の給紙を開始し、ステップＳ４３へ処理を進める。
【００８４】
ステップＳ４３では、ＣＰＵ１５１は、給紙ローラ１０３、サバキローラ１１５、その他の原稿搬送方向下流側のローラを回転させて原稿の搬送を開始し、ステップＳ５０へ処理を進める。なお、サバキローラ１１５は、図１５に示されるように、原稿が搬送される向きに回転する。
【００８５】
次に、ステップＳ５０で、ＣＰＵ１５１およびＣＰＵ２５１は、搬送経路上の各ローラを駆動することにより原稿を搬送し、該搬送経路において当該原稿の表裏の画像を第１読取部および第２読取部で読み取ってメモリ２６０に記憶させ、原稿をトレイ１１３へ排紙する。そして、ステップＳ５１へ処理を進める。
【００８６】
ステップＳ５１では、ＣＰＵ２５１は、カウンタを１つ加算更新することにより、処理対象となっている原稿に対する第１読取部および第２読取部による読取回数、すなわち搬送回数をカウントアップし、ステップＳ６０へ処理を進める。
【００８７】
ステップＳ６０では、ＣＰＵ２５１は、ステップＳ５０で読み取った画像を表示パネル１７０に表示する。このとき表示される画面の一例を図１４に示す。図１４の画面７０２は、表面および裏面として読取った画像、ＯＫボタン７０２Ａ、および、やり直しボタン７０２Ｂを含む。なお、画面７０２では、読取った画像とともに、「７ページ」「８ページ」等で表示されているように、読み取られた画像がどの頁として扱われるかを示す頁番号情報も合わせて表示される。
【００８８】
そして、ステップＳ６１へ処理を進める。ステップＳ６１では、ＣＰＵ２５１は、入力部１７１に対して当該画像に間違いがない旨を確認する操作がなされたか否か、すなわち、ＯＫボタン７０２Ａに対するタッチ操作が行なわれたか、やり直しボタン７０２Ｂに対するタッチ操作が行われたかを判断する。そして、ＯＫボタン７０２Ａに対するタッチ操作が行なわれ、間違いでない旨が確認されたと判断すると、ステップＳ７０へ処理を進める。一方、やり直しボタン７０２Ｂに対するタッチ操作が行なわれ、間違いである旨の操作がなされたと判断すると、ステップＳ６２へ処理を進めて、搬送回数をカウントしたカウントを一つ減算する。そして、ステップＳ２０へ処理を戻す。
【００８９】
ステップＳ７０では、ＣＰＵ２５１は、処理対象の中綴じ原稿の全てのページの読取が完了したか否かを判断する。この判断は、例えば、上記搬送回数が、原稿の綴じ枚数に応じて行なわれるべき搬送回数に達したか否かを判断することにより、実現される。そして、全て完了したと判断するとステップＳ９０へ処理を進める。一方、完了していないと判断すると、ステップＳ８０へ処理を進める。
【００９０】
ステップＳ８０では、ＣＰＵ２５１は、次回の読取のためにセットされる原稿の開き方を指定する画面を表示パネル１７０に表示させて、ステップＳ２１へ処理を戻す。
【００９１】
一方、ステップＳ９０では、ステップＳ１０〜ステップＳ８０の処理における、複数回の読取によって取得された画像を、メモリ２６０において再構成して、印刷用または閲覧用の電子データを生成して、原稿読取処理を終了させる。
【００９２】
以上説明した本実施の形態では、中綴じ原稿モードにおいて、レジストループ作成機能がＯＦＦされる等、原稿へのダメージを回避するための種々の調整がなされている。これにより、中綴じ原稿の綴じを外すことなくその表裏両面の画像を同時に読取る装置において特別に想定される悪影響が極力排除される。
【００９３】
＜変形例（１）＞
次に、以上説明した実施の形態の変形例（１）について説明する。
【００９４】
本変形例（１）では、サバキローラ１１５の回転方向を切り替える回転方向切替機構１１７に代えて、モータ３０４からサバキローラ１１５への駆動力の伝達を解除するクラッチが設けられている。
【００９５】
図１８は、本変形例の原稿読取装置の制御構成の具体例を示すブロック図である。図１８では、図２に示されたブロック図に対して、クラッチ１１９が追加されている。クラッチ１１９は、上記の、モータ３０４からサバキローラ１１５への駆動力の伝達を解除するクラッチである。
【００９６】
中綴じ原稿モードでは、このクラッチ１１９によりサバキローラ１１５とモータ３０４との連結を解除し、モータ３０４からの駆動力がサバキローラ１１５に伝達されず、サバキローラ１１５が常に給紙ローラ１０３に従動回転されるように構成されている。なお、クラッチ１１９を設けることなく、モータ３０４をオフのままにしておき、サバキローラ１１５が駆動されないようにすることで、給紙ローラ１０３に従動回転されるようにしても良い。
【００９７】
図１９は、このような変形例における原稿搬送処理のフローチャートである。
図１９を参照して、本変形例では、図１２のフローチャートと比較して、ステップＳ３０に代えてステップＳ３１が設けられている点のみが異なる。同じステップ番号の処理は図１２のフローチャートと同じであるので、図１２のフローチャートと異なる点のみ説明する。
【００９８】
本変形例では、ＣＰＵ２５１は、ステップＳ２０で画面表示を行なった後、ステップＳ２１で中綴じ原稿の読取りを開始する旨の情報の入力を入力部１７１から受付けると、ステップＳ３１で、クラッチ１１９をオンすることにより、サバキローラ１１５とモータ３０４との連結を解除する。そして、ステップ４０へ処理を進める。
【００９９】
＜変形例（２）＞
次に、変形例（２）について説明する。
【０１００】
本変形例（２）では、各一対のローラの一方が駆動されることにより他方が従動回転するという構成に代えて、双方のローラが駆動される点のみが、前述の実施の形態と異なっている。具体的には、給紙モータ３０１は一対の中間ローラ１０４の双方に接続され、レジストモータ３０３は一対のレジストローラ１０５の双方に接続され、読取モータ３０２は一対の読取ローラ１０６，１０７，１０８のそれぞれ双方に接続され、排紙モータ３０４は、一対の排紙ローラ１０９の双方に接続されている。各モータは、接続された各一対のローラの双方を原稿搬送方向に駆動する。
【０１０１】
これにより、より強力な力で原稿を搬送することができるので、複数枚の用紙を搬送する中綴じ原稿モードにおいても、確実に搬送を行う事ができる。
【０１０２】
＜変形例（３）＞
図２０は、変形例（３）を示す図である。
【０１０３】
図２０の装置では、図１の装置に対して、追加トレイユニット１８０が設けられている。追加トレイユニット１８０は、トレイ１８１と、ローラ１８２，１８３とを含む。
【０１０４】
ローラ１８２，１８３は、トレイ１８１にセットされた原稿を読取ローラ１０６へ送る。トレイ１８１から読取ローラ１０６へ送られた原稿は、読取ローラ１０７、読取ローラ１０８、排紙ローラ１０９を経て、トレイ１１３に排出される。この搬送経路は、原稿を搬送する向きが常に図の右向きである。
【０１０５】
本変形例（３）では、単票原稿モードでは、トレイ１０１からピックアップローラ１０２，給紙ローラ１０３等を経てトレイ１１３に送られる搬送経路で原稿が搬送される。この搬送経路では、まず左向きに原稿が搬送された後、途中で搬送の向きが右向きに変えられる。装置の右側からセットされた原稿が、装置の右側に排出される。したがって、原稿をセットしたユーザが排出された当該原稿を受け取るのに要する移動距離を極力少なくできる。
【０１０６】
一方、上記したようなトレイ１８１から読取ローラ１０７へと原稿が送られる搬送経路は、原稿の搬送の向きを変更しない。したがって、搬送途中で搬送の向きが変わる搬送経路と比較して、原稿にかかる負担を抑えることができる。本変形例（３）では、中綴じ原稿モードでは、トレイ１８１から読取ローラ１０７へと原稿が送られる搬送経路で、原稿が搬送される。
【０１０７】
＜変形例（４）＞
図２１は、本発明の画像形成装置の一例を示す図である。
【０１０８】
上記したような画像読取装置がプリンタ部１０００に接続されることにより、画像読取装置で生成された画像をプリンタ部で形成する画像形成装置が実現される。
【０１０９】
本発明の画像形成装置には、複写機、プリンタ、スキャナ、ファクシミリ送受信機、またはこれら装置のうちのいずれか２以上の装置の機能を備えた複合機であるＭＦＰ（Ｍｕｌｔｉ  Ｆｕｎｃｔｉｏｎ  Ｐｅｒｉｐｈｅｒａｌ）などが該当する。なお、プリンタ部１０００は、汎用のプリンタに備えられた画像形成機能と同様に、画像読取装置において生成（取得）された画像を、記録用紙等の記録媒体上に形成（印刷）する機能を有する。
【０１１０】
今回開示された実施の形態およびその変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、実施の形態および各変形例は、可能な限り、単独でも、組合わせても、実施することを意図される。
【符号の説明】
【０１１１】
１Ａ  ＡＤＦ部、１Ｂ  読取部、１０１，１１３，１８１  トレイ、１０２  ピックアップローラ、１０３  給紙ローラ、１０４  中間ローラ、１０５  レジストローラ、１１５  サバキローラ、１１７  回転方向切替機構。
【図１】
0005633527.tif 000002
【図２】
0005633527.tif 000003
【図３】
0005633527.tif 000004
【図４】
0005633527.tif 000005
【図５】
0005633527.tif 000006
【図６】
0005633527.tif 000007
【図７】
0005633527.tif 000008
【図８】
0005633527.tif 000009
【図９】
0005633527.tif 000010
【図１０】
0005633527.tif 000011
【図１１】
0005633527.tif 000012
【図１２】
0005633527.tif 000013
【図１３】
0005633527.tif 000014
【図１４】
0005633527.tif 000015
【図１５】
0005633527.tif 000016
【図１６】
0005633527.tif 000017
【図１７】
0005633527.tif 000018
【図１８】
0005633527.tif 000019
【図１９】
0005633527.tif 000020
【図２０】
0005633527.tif 000021
【図２１】
0005633527.tif 000022